(57)【要約】【課題】接着や溶着等の手段を用いずに、収納された物品が抜け落ちたり、抜き取られたりする心配がないブリスター包装体を提供することである。【解決手段】２つ折りで重ね合わされるシート片１ａ、１ｂ同士を係止する手段を、折り目線２で形成される辺の両側の辺部で、一方のシート片１ｂの辺縁に設けた爪６を他方のシート片１ａの辺縁部に設けたスリット５に差し込んで係止するものとし、このスリット５に差し込んだシート片１ｂの爪６と、スリット５に爪６を差し込まれたシート片１ａの辺縁部とを一緒に折り畳むことにより、重ね合わせたシート片１ａ、１ｂを強固に密着させ、接着や溶着等の手段を用いずに、凹部４に収納された物品Ａが抜け落ちたり、抜き取られたりする心配がないようにした。【選択図】図３
2006168782.tif 000002
【特許請求の範囲】
【請求項１】
折り目線で２つ折りにされるシートの２つ折りで重ね合わされるシート片の少なくとも一方に凹部を設け、これらの重ね合わせたシート片同士を係止して、前記凹部に物品を収納するようにしたブリスター包装体において、前記重ね合わせたシート片同士を係止する手段を、前記折り目線で形成される辺を除く少なくとも１つの辺部で、一方の前記シート片の辺縁に設けた爪を他方のシート片の辺縁部に設けたスリットに差し込んで係止するものとし、このスリットに差し込んだ一方のシート片の爪と、スリットに爪を差し込まれた他方のシート片の辺縁部とを一緒に折り畳んだことを特徴とするブリスター包装体。
【請求項２】
前記一方のシート片の辺縁に設けた爪を他方のシート片の辺縁部に設けたスリットに差し込んで係止する辺部を、前記折り目線で形成される辺の両側の辺部とした請求項１に記載のブリスター包装体。
【請求項３】
前記２つ折りにされるシートをプラスチックシートとし、前記一方のシート片の爪と他方のシート片の辺縁部とを加熱して折り畳むようにした請求項１または２に記載のブリスター包装体。
【請求項４】
前記物品を収納する凹部を一方の前記シート片のみに設けて、他方のシート片に前記凹部の外周の少なくとも一部に沿った切り取り線を入れ、この切り取り線を切り取って、前記凹部に収納される物品を取り出せるようにした請求項１乃至３のいずれかに記載のブリスター包装体。
【請求項５】
前記折り目線で形成される辺と対向する辺側から、前記物品が収納される凹部を覆う台紙を前記重ね合わせたシート片の間に挿入した請求項４に記載のブリスター包装体。
【請求項６】
前記切り取り線の両端を前記折り目線の両端に接続し、この切り取り線を切り取ったときに、前記台紙を折り目線で形成される辺側から抜き取れるようにした請求項５に記載のブリスター包装体。
【発明の詳細な説明】
【技術分野】
【０００１】
本発明は、ブリスター包装体に関する。
【背景技術】
【０００２】
重ね合わせたシート片の少なくとも一方に凹部を設け、この凹部に物品を収納して陳列用等に使用されるブリスター包装体には、重ね合わせたシート片同士を接着や溶着等の手段によって係止したものと、重ね合わせたシート片同士を引っ掛けや嵌め込み等の手段で係止したものとがある。具体的な引っ掛けや嵌め込み等の手段としては、一方のシート片に設けた鉤片を他方のシート片に設けた切欠溝に掛止するもの（例えば、特許文献１参照）、一方のシート片に設けた凸部を他方のシート片に設けた凹部に嵌合するもの（例えば、特許文献２参照）等がある。
【０００３】
【特許文献１】実開昭５３−５２８０号公報
【特許文献２】特開２００４−１００７４号公報
【発明の開示】
【発明が解決しようとする課題】
【０００４】
上述した接着や溶着等の手段でシート片同士を係止したブリスター包装体は、凹部の全周を係止できるので、凹部に収納された物品が重ね合わせたシート片の間から抜け落ちる心配はないが、接着や溶着等による係止に手間がかかり、接着剤等によって収納される物品が汚れたり、固着したりする問題がある。
【０００５】
一方、引っ掛けや嵌め込み等の手段でシート片同士を係止したブリスター包装体は、シート片同士を簡単に係止でき、かつ、収納される物品が汚れたり固着したりする恐れもないが、シート片同士の係止部位が局所的になるので、凹部に収納された物品が重ね合わせたシート片の間から抜け落ちる心配がある。また、引っ掛けや嵌め込み等による係止は簡単に外せるので、収納された物品が抜き取られる心配もある。
【０００６】
そこで、本発明の課題は、接着や溶着等の手段を用いずに、収納された物品が抜け落ちたり、抜き取られたりする心配がないブリスター包装体を提供することである。
【課題を解決するための手段】
【０００７】
上記の課題を解決するために、本発明は、折り目線で２つ折りにされるシートの２つ折りで重ね合わされるシート片の少なくとも一方に凹部を設け、これらの重ね合わせたシート片同士を係止して、前記凹部に物品を収納するようにしたブリスター包装体において、前記重ね合わせたシート片同士を係止する手段を、前記折り目線で形成される辺を除く少なくとも１つの辺部で、一方の前記シート片の辺縁に設けた爪を他方のシート片の辺縁部に設けたスリットに差し込んで係止するものとし、このスリットに差し込んだ一方のシート片の爪と、スリットに爪を差し込まれた他方のシート片の辺縁部とを一緒に折り畳んだ構成を採用した。
【０００８】
すなわち、重ね合わせたシート片同士を係止する手段を、折り目線で形成される辺を除く少なくとも１つの辺部で、一方のシート片の辺縁に設けた爪を他方のシート片の辺縁部に設けたスリットに差し込んで係止するものとし、このスリットに差し込んだ一方のシート片の爪と、スリットに爪を差し込まれた他方のシート片の辺縁部とを一緒に折り畳むことにより、重ね合わせたシート片同士を強固に密着させ、接着や溶着等の手段を用いずに、収納された物品が抜け落ちたり、抜き取られたりする心配がないようにした。
【０００９】
前記一方のシート片の辺縁に設けた爪を他方のシート片の辺縁部に設けたスリットに差し込んで係止する辺部は、前記折り目線で形成される辺の両側の辺部とするのが好ましい。
【００１０】
前記２つ折りにされるシートをプラスチックシートとし、前記一方のシート片の爪と他方のシート片の辺縁部とを加熱して折り畳むことにより、重ね合わせたシート片同士をより強固に密着させることができる。
【００１１】
前記物品を収納する凹部を一方の前記シート片のみに設けて、他方のシート片に前記凹部の外周の少なくとも一部に沿った切り取り線を入れることにより、この切り取り線を切り取って、前記凹部に収納される物品を容易に取り出すことができる。
【００１２】
前記折り目線で形成される辺と対向する辺側から、前記物品が収納される凹部を覆う台紙を前記重ね合わせたシート片の間に挿入することにより、前記切り取り線を切り取って取り出した物品を使用後に再び凹部に収納し、台紙をスライド蓋とする収納容器としてブリスター包装体を活用することができる。
【００１３】
前記切り取り線の両端を前記折り目線の両端に接続し、この切り取り線を切り取ったときに、前記台紙を折り目線で形成される辺側から抜き取れるようにすることにより、台紙の抜き取りを容易にして、凹部から物品を取り出しやすくすることができる。
【発明の効果】
【００１４】
本発明のブリスター包装体は、２つ折りで重ね合わせたシート片同士を係止する手段を、折り目線で形成される辺を除く少なくとも１つの辺部で、一方のシート片の辺縁に設けた爪を他方のシート片の辺縁部に設けたスリットに差し込んで係止するものとし、このスリットに差し込んだ一方のシート片の爪と、スリットに爪を差し込まれた他方のシート片の辺縁部とを一緒に折り畳むことにより、重ね合わせたシート片同士を強固に密着させるようにしたので、接着や溶着等の手段を用いずに、収納された物品が抜け落ちたり、抜き取られたりする心配がないようにすることができる。
【００１５】
前記２つ折りにされるシートをプラスチックシートとし、一方のシート片の爪と他方のシート片の辺縁部とを加熱して折り畳むことにより、重ね合わせたシート片同士をより強固に密着させることができる。
【００１６】
前記物品を収納する凹部を一方のシート片のみに設けて、他方のシート片に凹部の外周の少なくとも一部に沿った切り取り線を入れることにより、この切り取り線を切り取って、凹部に収納される物品を容易に取り出すことができる。
【００１７】
前記折り目線で形成される辺と対向する辺側から、物品が収納される凹部を覆う台紙を重ね合わせたシート片の間に挿入することにより、切り取り線を切り取って取り出した物品を使用後に再び凹部に収納し、台紙をスライド蓋とする収納容器としてブリスター包装体を活用することができる。
【００１８】
前記切り取り線の両端を折り目線の両端に接続し、この切り取り線を切り取ったときに、台紙を折り目線で形成される辺側から抜き取れるようにすることにより、台紙の抜き取りを容易にして、凹部から物品を取り出しやすくすることができる。
【発明を実施するための最良の形態】
【００１９】
以下、図面に基づき、本発明の実施形態を説明する。このブリスター包装体は、図１に示すように、折り目線２で２つのシート片１ａ、１ｂに２つ折りにされる透明なプラスチックシート１と、２つ折りで重ね合わされる両シート片１ａ、１ｂの間に挿入される厚紙製の台紙３とから成り、シート片１ａに物品Ａが収納される凹部４が設けられ、重ね合わされるシート片１ａ、１ｂ同士を係止するために、シート片１ａの両側辺の辺縁部にスリット５が２つずつ設けられ、シート片１ｂの両側辺の辺縁に、各スリット５に差し込まれる爪６が２つずつ設けられている。
【００２０】
前記シート片１ｂには、シート片１ａと重ね合わされたときに凹部４の外周に沿うミシン目の切り取り線７が入れられ、その両端が折り目線２の両端に接続されている。折り目線２の両外側は切り込み線８で分断されている。なお、各シート片１ａ、１ｂの先端部には、２つ折りにされたときに重なり合い、吊り下げ陳列用のフック等が挿入される孔９ａ、９ｂが設けられ、シート片１ａの先端には、シート片１ｂの先端を越えて折り曲げられる舌片１０が設けられている。
【００２１】
以下に、上述したブリスター包装体に物品Ａを収納する手順を説明する。まず、図２に示すように、物品Ａをシート片１ａの凹部４に入れ、シート１を折り目線２で２つ折りにして、シート片１ａの各スリット５にシート片１ｂの各爪６を差し込み、シート片１ａ、１ｂ同士を係止する。こののち、折り目線２で形成される辺と対向する辺側から、台紙３を重ね合わせた両シート片１ａ、１ｂの間に挿入する。
【００２２】
つぎに、図３に示すように、各スリット５に差し込んだシート片１ｂの各爪６と、各スリット５に爪６を差し込まれたシート片１ａの辺縁部とを一緒に折り曲げるとともに、シート片１ａの舌片１０をシート片１ｂの先端から反対側に折り曲げ、これらの折り曲げ部を加熱して折り畳むことにより、両シート片１ａ、１ｂの辺縁部が強固に密着されて、物品Ａが抜け落ちないようにブリスター包装体に収納される。
【００２３】
図４は、前記ブリスター包装体に収納した物品Ａを取り出す手順を示す。まず、シート片１ｂの切り取り線７を折り目線２の両端まで切り取り、切り取った切り取り片７ａを折り目線２の処で下方に伸ばす。こののち、凹部４を覆う台紙３を折り目線２と切り込み線８の処から下方へ抜き取ることにより、凹部４に収納された物品Ａを取り出すことができる。なお、取り出した物品を使用後に再び凹部４に収納し、抜き取った台紙３をスライド蓋として両シート片１ａ、１ｂの間に再び差し込めば、ブリスター包装体を収納容器として活用することができる。
【００２４】
上述した実施形態では、物品を収納する凹部を一方のシート片に１つだけ設けたが、本発明に係るブリスター包装体は、両方のシート片に凹部を設けたものや、一方または両方のシート片に複数の凹部を設けたものにも適用することができる。
【００２５】
また、上述した実施形態では、折り目線で形成される辺の両側の辺部で、爪をスリットに差し込んで係止したシート片の辺縁部を折り畳んだが、折り目線で形成される辺と対向する辺部、または折り目線で形成される辺を除く全ての辺部で、このように係止したシート片の辺縁部を折り畳むこともできる。
【図面の簡単な説明】
【００２６】
【図１】ブリスター包装体の実施形態を示す分解斜視図
【図２】図１のブリスター包装体に物品を収納する手順を説明する斜視図
【図３】図１のブリスター包装体に物品を収納した状態を示す斜視図
【図４】図３のブリスター包装体から物品を取り出す手順を説明する斜視図
【符号の説明】
【００２７】
１  シート
１ａ、１ｂ  シート片
２  折り目線
３  台紙
４  凹部
５  スリット
６  爪
７  切り取り線
８  切り込み線
９ａ、９ｂ  孔
１０  舌片
【図１】
2006168782.tif 000003
【図２】
2006168782.tif 000004
【図３】
2006168782.tif 000005
【図４】
2006168782.tif 000006